(57)【要約】【課題】１のシリンジの内容物を小分けして取り出せる定量シリンジ型噴出器を提供する。【解決手段】指掛け部11dを有するシリンジ11と、シリンジ11内に配置されるピストン13と、ピストン13を押し込むロッド14とを有する。ロッド14は、ロッド本体14aに沿って複数の環状突起14pを有してその後端面F2がそれぞれ、ロッド本体14aから前方に向かって傾斜する。シリンジ11は、弾性基部23を基点に傾倒可能な折り曲げ片24を有する。折り曲げ片14は、前方延長部14aと後方延長部14bとで形成されている。前方延長部14aは、ロッド14を押し込んだとき、環状突起14pによって押し開かれることで、折り曲げ片24をロッド本体14a側に傾倒させつつ弾性基部23に変形を生じさせ、後方延長部24bが、折り曲げ片24が傾倒することで次の環状突起14pに接触し、ロッド14の押し込みを解除すると環状突起14pを押し戻して折り曲げ片24を初期状態に復帰させる。【選択図】図１
2014108204.tif 000002
【特許請求の範囲】
【請求項１】
指掛け部を有するシリンジと、シリンジの内側に配置されて内容物の充填空間を形成するピストンと、ピストンを前方に向かって押し込むプランジャロッドとを有し、
プランジャロッドは、ロッド本体に沿って間隔を置いて配置される複数の環状突起を有するものであり、
シリンジは、変形および復元が可能な弾性基部を基点に傾倒可能な折り曲げ片を有し、
当該折り曲げ片は、ロッド本体に向かって傾斜する前方側延長部と、後方側延長部とで形成されているとともに、
前方側延長部が、プランジャロッドを押し込んだとき、環状突起によって押し開かれることで、折り曲げ片をロッド本体側に傾倒させ、
後方側延長部が、折り曲げ片が傾倒することで後方に配置される他の環状突起に接触するとともに、プランジャロッドの押し込みを解除することで環状突起を押し戻して折り曲げ片を初期状態に復帰させるものである定量シリンジ型噴出器。
【請求項２】
請求項１において、前方側延長部はそれぞれ、ストッパを有するものである定量シリンジ型噴出器。
【請求項３】
請求項１又は２において、環状突起の前端面がそれぞれ、ロッド本体から前方に向かって傾斜するものである定量シリンジ型噴出器。
【請求項４】
請求項１乃至３のいずれか１項において、環状突起の後端面がそれぞれ、ロッド本体から前方に向かって傾斜するものである定量シリンジ型噴出器。
【請求項５】
請求項１乃至４のいずれか１項において、ピストンとプランジャロッドとの間に隙間が形成されている定量シリンジ型噴出器。
【請求項６】
請求項１乃至５のいずれか１項において、シリンジと弾性基部とを別体に構成したことを特徴とする定量シリンジ型噴出器。
【請求項７】
請求項１乃至６のいずれか１項において、シリンジに噴霧ノズルを設けたことを特徴とする定量シリンジ型噴出器。
【発明の詳細な説明】
【技術分野】
【０００１】
本発明は、指掛け部を有するシリンジと、シリンジ内に押し込み可能なピストンとを備える定量シリンジ型噴出器であって、１つのシリンジ内に充填された内容物を小分けにして取り出すための技術に関するものである。
【背景技術】
【０００２】
シリンジ型噴出器としては、例えば、プランジャロッド（プランジャ）を有するピストン（ガスケット）をシリンジ内に配置することで、シリンジとピストンとの間に内容物（例えば、薬液）の充填空間を形成するとともに、この充填空間の内容物をプランジャロッドの押し込みによって外界に取り出させるものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、ピストンがシリンジ内で規制されることなく一気に押し込まれてしまうため、１つのシリンジ内に充填された内容物を小分けして取り出すことが困難であった。
【０００５】
本発明の目的とするところは、１つのシリンジ内に充填された内容物を小分けして取り出すことができる、新規な定量シリンジ型噴出器を提供することにある。
【課題を解決するための手段】
【０００６】
本発明の定量シリンジ型噴出器は、指掛け部を有するシリンジと、シリンジの内側に配置されて内容物の充填空間を形成するピストンと、ピストンを前方に向かって押し込むプランジャロッドとを有し、
プランジャロッドは、ロッド本体に沿って間隔を置いて配置される複数の環状突起を有するものであり、
シリンジは、変形および復元が可能な弾性基部を基点に傾倒可能な折り曲げ片を有し、
当該折り曲げ片は、ロッド本体に向かって傾斜する前方側延長部と、後方側延長部とで形成されているとともに、
前方側延長部が、プランジャロッドを押し込んだとき、環状突起によって押し開かれることで、折り曲げ片をロッド本体側に傾倒させ、
後方側延長部が、折り曲げ片が傾倒することで後方に配置される他の環状突起に接触するとともに、プランジャロッドの押し込みを解除することで環状突起を押し戻して折り曲げ片を初期状態に復帰させるものである。
【０００７】
本発明では、環状突起の前端面をそれぞれ、ロッド本体から前方に向かって傾斜するものとすることが好ましい。また、本発明では、環状突起の後端面をそれぞれ、ロッド本体から前方に向かって傾斜するものとすることができる。
【０００８】
本発明では、ピストンとプランジャロッドとの間に隙間を形成することが好ましい。
【０００９】
本発明では、弾性基部とシリンジとを別体に構成することができる。
【００１０】
本発明では、シリンジに噴霧ノズルを設けることができる。
【発明の効果】
【００１１】
本発明によれば、プランジャロッドをシリンジ内に押し込んだとき、折り曲げ片の前方側延長部が環状突起によって押し開かれることでプランジャロッドの押し込みを許容して内容物の噴出を可能するが、その噴出量は、折り曲げ片の後方側延長部がロッド本体側に傾倒して後方から進行する他の環状突起に接触することで制限される。また、折り曲げ片が傾倒するため、プランジャロッドの押し込みを解除すると、折り曲げ片の傾倒に伴う復元力によって環状突起を介してプランジャロッドを押し戻すことにより折り曲げ片を初期状態に復帰させる。これにより、再びプランジャロッドを押し込むことで、内容物を新たに噴出させることができる。
【００１２】
したがって、本発明によれば、１つのシリンジ内に充填された内容物をプランジャロッドに設けた複数の環状突起の軸線間隔分だけ、小分けして取り出すことができる。しかも、本発明では、プランジャロッドの押し込みを解除するだけで、新たな噴出が可能になるため、個々の噴出操作ごとに持ち替える必要がない。このため、使用者は、複数の小分け作業を片手操作で行うことができる。さらに、本発明によれば、パーツ数を増やすことなく、簡単な機構で内容物を小分けして取り出すことができる。
【図面の簡単な説明】
【００１３】
【図１】本発明の一実施形態である、定量タイプの点鼻薬噴霧器の初期状態を示す断面図および、その拡大図である。
【図２】同点鼻薬噴霧器を押し込み操作して１回目の噴出が行われている状態を示す断面図および、その拡大図である。
【図３】同点鼻薬噴霧器を押し込み操作して１回目の噴出が完了した状態を示す断面図および、その拡大図である。
【図４】同点鼻薬噴霧器の押し込み操作を解除して２回目の噴出が行える状態を示す断面図である。
【図５】（ａ）は、同点鼻薬噴霧器に係る、アダプタを示す平面図であり、（ｂ）は、図４（ａ）のＸ−Ｘ断面図であり、（ｃ）は、アダプタを示す底面図である。
【発明を実施するための形態】
【００１４】
以下、図面を参照して、本発明の一実施形態である、定量タイプの点鼻薬噴霧器を詳細に説明する。
【００１５】
図１中、符号１０は、本発明の一実施形態である、点鼻薬噴霧器である。点鼻薬噴霧器１０は、合成樹脂製又はガラス製の定量シリンジ１１を有する。シリンジ１１は、内容物（点鼻薬）Ｍを充填可能な中空の胴部１１ａを有し、この胴部１１ａには、肩部１１ｂを介して先端部１１ｃが一体に繋がる。先端部１１ｃは、胴部１１ａよりも小径としてなる。先端部１１ｃの内側には、内部通路ｒが形成されている。
【００１６】
符号１２は、シリンジ１１に対して着脱可能な噴霧ノズルである。噴霧ノズル１２は、先端部１１ｃに取り外し可能に嵌合する本体１２ａを有する。本体１２ａには、ノズルチップ１２ｂが内蔵されている。また本体１２ａの先端には、ノズルチップ１２ｂに通じる噴出孔１０ａが形成されている。これにより、噴霧ノズル１２は、噴出孔１０ａを通して内容物Ｍを外界に噴霧させることができる。
【００１７】
またシリンジ１１の後端部には、外向きに突出する指掛け部１１ｄとともに、シリンジ１１の内部を外界に通じさせる開口部（以下、「後端開口部」）Ａ1が設けられている。
【００１８】
符号１３は、後端開口部Ａ1を通してシリンジ１１内に配置されるピストン（ガスケット）１３である。ピストン１３は、胴部１１ａの内側に摺動可能に保持されている。ピストン１３は、例えば、ゴムなどの弾性材料からなる。これにより、ノズル１２とピストン１３の間には、シリンジ１１内に充填された内容物Ｍを密封保持する充填空間Ｓ1が形成される。
【００１９】
符号１４は、プランジャロッドである。プランジャロッド１４は、中空シャフト状のロッド本体１４ａを有する。本実施形態では、プランジャロッド１４の先端側に、ピストン１２を受ける環状の受け部１４ｂが設けられている。受け部１４ｂには、先端部１４ｃが設けられている。先端部１４ｃには、ピストン１３をねじ付けることができる。また、先端部１４ｃは、受け部１４ｂとピストン１３との間に、隙間（遊び）Ｃを形成するように取り付けられている。さらに、プランジャロッド１４の後端部には、円盤状の押圧部１４ｄが設けられている。押圧部１４ｄは、使用者からの力を受けることで、プランジャロッド１４の押し込みを可能にする。
【００２０】
ロッド本体１４ａにはさらに、点鼻薬噴霧器１０の中心軸線（以下、「軸線」）Ｏの周りを周回する複数の環状突起１４ｐが配置されている。例えば、本実施形態では、環状突起１４ｐは、軸線Ｏに沿って間隔を置いて５箇所に設けられている。ただし、環状突起１４ｐの個数については、複数であればよく、５箇所に限定されるものではない。また、図１の拡大図に示すように、環状突起１４ｐはそれぞれ、ロッド本体１４ａから前方に向かって傾斜する円錐状に設けられている。これにより、環状突起１４ｐの前端面Ｆ1と後端面Ｆ2はそれぞれ、同図に示すように、ロッド本体１４ａから前方に向かって傾斜する。
【００２１】
符号２０は、プランジャロッド１４と協働するストッパカバーである。ストッパカバー２０は、指掛け部１１ｄを収納するホルダ２１を有する。ホルダ２１は、図５（ａ）に示すように、シリンジ１１の胴部１１ａを収納する開口部Ａ2を有する。またホルダ２１の側面には、図５（ｂ）に示すように、開口部Ａ2側に開口して指掛け部１１ｄを収納する収納空間Ｓ2が形成されている。さらにホルダ２１の下端には、軸線Ｏを挟んで対向する位置に支持板２２が一体に設けられている。
【００２２】
さらに、支持板２２には、弾性基部２３を介して折り曲げ片２４が一体に設けられている。折り曲げ片２４は、軸線Ｏに向かって傾斜する前方側延長部２４ａと、この前方側延長部２４ａから伸びる後方側延長部２４ｂとで形成されている。図５（ｃ）に示すように、前方側延長部２４ａおよび後方側延長部２４ｂはそれぞれ弾性基部２３とともに、平坦な板状に形成されている。弾性基部２３は、折り曲げ片２４の屈曲部分の外側に一体に連結されているとともに、変形および復元が可能な剛性を有する。これにより、折り曲げ片２４は、支持板２２の内側において、弾性基部２３を基点に上下方向に対して復元可能に傾倒させることができる。
【００２３】
さらに前方側延長部２４ａには、図５（ｂ）に示すように、ストッパ２５が一体に設けられている。ストッパ２５は、前方側延長部２４ａの外側に配置されている。本実施形態では、ストッパ２５は、図５（ａ）に示すように、前方側延長部２４の外面から起立する平坦な板状に形成されている。また、ストッパ２５は、前方側延長部２４ａの末端と同一の端面（以下、「前方端面」）２４ｅ1を形成する。
【００２４】
前方側延長部２４ａは、ロッド本体１４ａに向かって傾斜することで、その相互間の幅が図１に示す初期状態では、環状突起１４ｐよりも狭くなるように設定されている。また、前方側延長部２４ａの相互間の幅は、図１に示す初期状態において、環状突起１４ｐよりも広くなるように設定されている。
【００２５】
次に、点鼻薬噴霧器１０の使用方法を説明する。
【００２６】
使用者は先ず、図１に示す状態で、人差し指と中指をホルダ２１（指掛け部１１ｄ）に掛けて押圧部１４ｂを親指で押さえる。次いで、噴霧ノズル１２を一方の鼻の穴に挿入した後、矢印（１）に示すように、押圧部１４ｂを介してプランジャロッド１４を押し込む。
【００２７】
すると、図２の矢印（２）に示すように、環状突起１４ｐが折り曲げ片２４の前方側延長部２４ａを押し開くことで、プランジャロッド１４の押し込みを許容するが、その噴霧量は、図２の矢印（３）に示すように、折り曲げ片２４が弾性基部２３を基点にロッド本体１４側に傾倒することで制限される。すなわち、折り曲げ片２４が傾倒することで、図３に示すように、前方側延長部２４ａの前方端面２４ｅ1がシリンジ１１の後端（以下、「シリンジ後端」）１１ｅに接触して前方側延長部２４ａの動きが拘束されるとともに、後方側延長部２４ｂの端面（以下、「後方端面」）２４ｅ2が、後方から進行する他の環状突起１４ｐの前端面Ｆ1に接触することで制限される。これにより、１度にプランジャロッド１４を押し込める量は、２つの環状突起１４ｐの軸線方向間隔に制限される。
【００２８】
加えて、プランジャロッド１４の押し込みを継続すると、図３の矢印（４）に示すように、折り曲げ片２４は、後方端面２４ｅ2から環状突起１４ｐを介してプランジャロッド１４の押し込み力を受ける。本実施形態では折り曲げ片２４にて、後方側延長部２４ｂが前方側延長部２４ａに対して傾倒することによって、弾性基部２３の変形に加えて、図３の矢印（５）に示すような内部応力が生じる。このため、プランジャロッド１４の押し込みを解除すると、弾性基部２３および折り曲げ片２４に生じた変形に伴う復元力によって、図４の矢印（６）に示すように、プランジャロッド１４の押し込みよって傾倒・圧縮されていた折り曲げ片２４が図１に示す初期状態に復帰する。すなわち、弾性基部２３および折り曲げ片２４の復元力によって、後方側延長部２４ｂの後方端面２４ｅ2が環状突起１４ｐの前端面Ｆ1に沿って環状突起１４ｐを押し戻すことで、プランジャロッド１４全体も押し戻される。これにより、折り曲げ片２４の後方側延長部２４ｂは図４に示すように、環状突起１４ｐの邪魔をすることなく、プランジャロッド１４の押し込みを可能にする。
【００２９】
したがって、使用者がプランジャロッド１４の押し込みを解除して、噴霧ノズル１２を他方の鼻の穴に挿入した後、再びプランジャロッド１４を押し込めば、２つの環状突起１４ｐの間の軸線方向長さ分だけ、新たに内容物Ｍを噴出させることができる。すなわち、図１〜４の一連の操作を繰り返せば、シリンジ１１の内容液を定量的に噴出させることができる。
【００３０】
このように、本発明に従う、点鼻薬噴霧器１０によれば、１つのシリンジ１１内に充填された内容物Ｍをプランジャロッド１４に設けた環状突起１４ｐの個数に応じた分だけ、小分けして取り出すことができる。しかも、本発明に従う、点鼻薬噴霧器１０では、プランジャロッド１４の押し込みを解除するだけで、新たな噴出が可能になるため、個々の噴出操作ごとに持ち替える必要がない。このため、使用者は、複数の小分け作業を片手操作で行うことができる。さらに、本発明に従う、点鼻薬噴霧器１０によれば、パーツ数を増やすことなく、簡単な機構で内容物を小分けして取り出すことができる。
【００３１】
なお、本発明に従えば、前方側延長部２４ａに設けたストッパ２５は、プランジャロッド１４の押し込みに伴う内部応力の増大に有効であるが、本発明に従えば、前方側延長部２４ａの端面２４ｅ1の厚さを増大させることにより、省略することができる。
【００３２】
また、本実施形態のように、環状突起１４ｐの前端面Ｆ1を、ロッド本体１４ａから前方に向かって傾斜させれば、プランジャロッド１４を押し込むときには、後方側延長部２４ｂの後方端面２４ｅ2が環状突起１４ｐの前端面Ｆ1に引っ掛かり易くなって弾性基部２３の内部応力を増大させることができる一方、プランジャロッド１４の押し込みを解除したときには、後方側延長部２４ｂの後方端面２４ｅ2で環状突起１４ｐを押し戻しつつ、この後方側延長部２４ｂを環状突起１４ｐから容易に離間させることができる。なお、本発明に従えば、前端面Ｆ1に溝を形成することで、この溝に沿って前方端面２４ｅ1を案内させることもできる。
【００３３】
また、本実施形態のように、環状突起１４ｐの後端面Ｆ2を、ロッド本体１４ａから前方に向かって傾斜させれば、折り曲げ片２４を初期位置に復帰させるときに、図４に示すように前方側延長部２４ａの前方端面２４ｅ1を後端面Ｆ2に一致させることができる。
【００３４】
さらに本実施形態のように、ピストン１３とプランジャロッド１４との間に隙間Ｃを形成すれば、ピストン１３が充填空間Ｓ1の負圧によって可動し難い状態であっても、この隙間Ｃ分だけ、プランジャロッド１４の押し戻しが可能になる。これにより、ピストン１３がシリンジ１１内にて動き難い状態でも、２回目以降の噴出操作を確実に行うことができる。
【００３５】
また、本実施形態では、弾性基部２３に繋がる折り曲げ片２４をストッパカバー２０に設けることで、シリンジ１１と弾性基部２３とを別体にしている。この場合、既存のシリンジ１１を用いることで汎用性が高められる。
【００３６】
上述したところは、本発明の様々な実施形態であるが、本発明に従えば、様々な変更が可能となる。例えば、上述の実施形態では、シリンジ型の噴霧器として説明したが、本発明に従えば、ノズル１２を変更することにより、泡として噴出させ、または、通常の液体として噴出させるなど、内容物を様々な形態で噴出させることができる。また、ノズル１２を取り付けることなく、内部通路ｒから直接内容物を噴出させることもできる。
【産業上の利用可能性】
【００３７】
指掛け部を有するシリンジと、当該シリンジ内に押し込み可能なプランジャとを備える定量シリンジ型噴出器であれば、様々な形態のものに採用することができる。その内容物についても、点鼻薬に限定されることなく、様々なものを採用することができる。
【符号の説明】
【００３８】
１０    点鼻薬噴霧器（定量シリンジ型噴出器）
１０ａ  噴出口
１１    シリンジ
１１ａ  胴部
１１ｂ  肩部
１１ｃ  先端部
１１ｄ  指掛け部
１２    噴霧ノズル
１３    ピストン
１４    プランジャロッド
１４ａ  ロッド本体
１４ｂ  受け部
１４ｃ  先端部
１４ｄ  押圧部
１４ｐ  環状突起
２０    ストッパカバー
２１    ホルダ
２２    支持板
２３    弾性基部
２４    折り曲げ片
２４ａ  前方側延長部
２４ｂ  後方側延長部
２４ｅ1 前方端面
２４ｅ2 後方端面
２５    ストッパ
Ｃ      隙間
Ｆ1     前端面
Ｆ2     後端面
【図１】
2014108204.tif 000003
【図２】
2014108204.tif 000004
【図３】
2014108204.tif 000005
【図４】
2014108204.tif 000006
【図５】
2014108204.tif 000007